(57)【要約】【課題】小型で、安価な衛星放送受信用コンバータを提供する。【解決手段】本発明の衛星放送受信用コンバータは、一面側に設けられた配線パターン３に電気部品４を搭載して所望の回路が形成され、枠体１に取り付けられた回路基板２と、筒状をなした直線状の導波管部８を有するフィードホーン７とを備え、導波管部８は、その延びる方向が回路基板２と平行状態で、枠体１の前記側壁１ａ面から外方に突出したため、導波管部８の高さが従来に比して低く、小型の衛星放送受信用コンバータを提供できる。【選択図】　　　　図３
2004040406.tif 000002
【特許請求の範囲】
【請求項１】
側壁を有する枠体と、一面側に設けられた配線パターンに電気部品を搭載して所望の回路が形成され、前記枠体に取り付けられた回路基板と、筒状をなした直線状の導波管部を有するフィードホーンとを備え、前記導波管部は、その延びる方向が前記回路基板と平行状態で、前記枠体の前記側壁面から外方に突出したことを特徴とする衛星放送受信用コンバータ。
【請求項２】
前記導波管部が前記側壁面から直角状態で突出したことを特徴とする請求項１記載の衛星放送受信用コンバータ。
【請求項３】
前記導波管部は、四角筒状をなし、金属板によって前記枠体の前記側壁と一体的に形成されたことを特徴とする請求項１、又は２記載の衛星放送受信用コンバータ。
【請求項４】
前記導波管部の延びる方向と平行に配置された前記回路基板には、棒状のプローブが取り付けられ、前記プローブが前記導波管部の入り口部に対向して配置されたことを特徴とする請求項１から３の何れかに記載の衛星放送受信用コンバータ。
【請求項５】
前記フィードホーンには、前記導波管部の入り口部に対して傾斜し、前記枠体内に位置した反射面が設けられ、前記回路基板には、前記反射面と対向する箇所に前記配線パターンの一部で構成されるプローブが設けられたことを特徴とする請求項１から４の何れかに記載の衛星放送受信用コンバータ。
【請求項６】
前記導波管部の延びる方向と平行に配置された前記回路基板の他面側には、接地用パターンが設けられると共に、前記枠体の少なくとも一端側には、開放部が設けられ、前記回路基板は、前記電気部品が前記枠体内に位置し、前記接地用パターンが前記枠体から露出して前記開放部を塞ぐように前記枠体に取り付けられたことを特徴とする請求項１から５の何れかに記載の衛星放送受信用コンバータ。
【請求項７】
前記回路基板の前記配線パターンに取り付けられた棒状のプローブが前記導波管部の入り口部に対向して配置されると共に、前記プローブの後方で前記プローブと対向する反射部が前記接地用パターンに取り付けられたことを特徴とする請求項６記載の衛星放送受信用コンバータ。
【請求項８】
前記反射部が前記導波管部から折り曲げられて形成されたことを特徴とする請求項７記載の衛星放送受信用コンバータ。
【請求項９】
前記フィードホーンには、前記導波管部の入り口部に対して傾斜し、前記枠体内に位置した反射面が設けられ、前記回路基板には、前記反射面と対向する箇所に前記配線パターンの一部で構成されるプローブが設けられると共に、前記接地用パターンに接触した状態で外部に配設されたキャップ状の反射部が前記プローブと対向して配置されたことを特徴とする請求項６から８の何れかに記載の衛星放送受信用コンバータ。
【請求項１０】
キャップ状の前記反射部には、一体的に帯状部が設けられ、この帯状部を前記枠体内に突出させて、前記帯状部が前記導波管部の入り口部に対向して配置されたプローブに対向して、このプローブに対する反射部となしたことを特徴とする請求項９記載の衛星放送受信用コンバータ。
【発明の詳細な説明】
【０００１】
【発明の属する技術分野】
本発明は衛星放送を受信するための衛星放送受信用コンバータに関する。
【０００２】
【従来の技術】
従来の衛星放送受信用コンバータの構成を図９に基づいて説明すると、金属ダイキャストからなる箱形の枠体５１は、上板５１ａと、この上板５１ａの四方から下方に延びる側板５１ｂと、上板５１ａと側板５１ｂとで囲まれて形成された収納部５１ｃと、上板５１ａに設けられた円形の孔５１ｄとを有する。
【０００３】
フィードホーン５２は、枠体５１と一体に金属ダイキャストによって形成され、円筒状で直線状に延びる導波管部５２ａと、導波管部５２ａの先端部に設けられたラッパ状部５２ｂとを有し、このフィードホーン５２は、中心部の中空部５２ｃが枠体５１の孔５１ｄと一致した状態で、導波管部５２ａが上板５１から垂直方向に延びて形成されている。
【０００４】
プリント基板からなる回路基板５３は、一面側に配線パターン５４が形成され、この配線パターン５４に種々の電気部品５５が搭載されて、所望の受信回路が形成されている。
そして、この回路基板５３は、配線パターン５４が形成されていない他面側から枠体５１内に挿入されて、枠体５１に適宜手段により取り付けられている。
【０００５】
金属板からなる蓋部５６は、枠体５１の開放部を塞ぐように取り付けられて、この蓋体５６と枠体５１とによって、回路基板５３に形成された受信回路が電気的にシールドされた構成となっている。
【０００６】
Ｌ字状をなした金属線からなる第１のプローブ５７は、絶縁体５８で支持されて、この第１のプローブ５７は、一端が導波管部５２ａ内に位置すると共に、他端が上板５１ａと回路基板５３を貫通して配線パターン５４に半田付けされている。
そして、この第１のプローブ５７は、垂直偏波、或いは水平偏波の何れか一方を受けるようになっている。
【０００７】
棒状の金属線からなら第１の反射部５９は、第１のプローブ５７と対向した状態で、導波管部５２ａ内の後方に位置し、導波管部５２ａに適宜手段により取り付けられている。
【０００８】
第２のプローブ６０は、配線パターン５４の一部で形成され、導波管部５２ａの中空部５２ｃと対向すると共に、第１のプローブ５７と９０度ずれた状態で延びている。
そして、この第２のプローブ６０は、垂直偏波、或いは水平偏波の何れか他方を受けるようになっている。
【０００９】
第２の反射部６１は、金属ダイキャストによりキャップ状に形成され、反射部となる底壁６１ａと、この底壁６１ａの周囲から直角状態で延びる側壁６１ｂとで構成されている。
そして、この第２の反射部６１は、第２のプローブ６０の後方位置で第２のプローブ６０を囲むように配置されて、側壁６１ｂが配線パターン５４のアースパターンに半田付けされて取り付けられている。
【００１０】
【発明が解決しようとする課題】
従来の衛星放送受信用コンバータは、フィードホーン５２の導波管部５２ａが枠体５１の上板５１ａから垂直方向に延びて形成されるため、全体が大型になるという問題がある。
また、枠体５１とフィードホーン５２とが金属ダイキャストにより一体に製造されるため、コスト高になるという問題がある。
また、回路基板５４に形成された回路をシールドするために、枠体５１の上板５１ａと蓋部５６が必要で、材料費が多くなってコスト高になるという問題がある。
【００１１】
そこで、本発明は小型で、安価な衛星放送受信用コンバータを提供することを目的とする。
【００１２】
【課題を解決するための手段】
上記課題を解決するための第１の解決手段として、一面側に設けられた配線パターンに電気部品を搭載して所望の回路が形成され、前記枠体に取り付けられた回路基板と、筒状をなした直線状の導波管部を有するフィードホーンとを備え、前記導波管部は、その延びる方向が前記回路基板と平行状態で、前記枠体の前記側壁面から外方に突出した構成とした。
【００１３】
また、第２の解決手段として、前記導波管部が前記側壁面から直角状態で突出した構成とした。
また、第３の解決手段として、前記導波管部は、四角筒状をなし、金属板によって前記枠体の前記側壁と一体的に形成された構成とした。
【００１４】
また、第４の解決手段として、前記導波管部の延びる方向と平行に配置された前記回路基板には、棒状のプローブが取り付けられ、前記プローブが前記導波管部の入り口部に対向して配置された構成とした。
【００１５】
また、第５の解決手段として、前記フィードホーンには、前記導波管部の入り口部に対して傾斜し、前記枠体内に位置した反射面が設けられ、前記回路基板には、前記反射面と対向する箇所に前記配線パターンの一部で構成されるプローブが設けられた構成とした。
【００１６】
また、第６の解決手段として、前記導波管部の延びる方向と平行に配置された前記回路基板の他面側には、接地用パターンが設けられると共に、前記枠体の少なくとも一端側には、開放部が設けられ、前記回路基板は、前記電気部品が前記枠体内に位置し、前記接地用パターンが前記枠体から露出して前記開放部を塞ぐように前記枠体に取り付けられた構成とした。
【００１７】
また、第７の解決手段として、前記回路基板の前記配線パターンに取り付けられた棒状のプローブが前記導波管部の入り口部に対向して配置されると共に、前記プローブの後方で前記プローブと対向する反射部が前記接地用パターンに取り付けられた構成とした。
また、第８の解決手段として、前記反射部が前記導波管部から折り曲げられて形成された。
【００１８】
また、第９の解決手段として、前記フィードホーンには、前記導波管部の入り口部に対して傾斜し、前記枠体内に位置した反射面が設けられ、前記回路基板には、前記反射面と対向する箇所に前記配線パターンの一部で構成されるプローブが設けられると共に、前記接地用パターンに接触した状態で外部に配設されたキャップ状の反射部が前記プローブと対向して配置された構成とした。
【００１９】
また、第１０の解決手段として、キャップ状の前記反射部には、一体的に帯状部が設けられ、この帯状部を前記枠体内に突出して、前記帯状部が前記導波管部の入り口部に対向して配置されたプローブに対向して、このプローブに対する反射部となした構成とした。
【００２０】
【発明の実施の形態】
本発明の衛星放送受信用コンバータの図面を説明すると、図１は本発明の衛星放送受信用コンバータの第１実施例に係る平面図、図２は本発明の衛星放送受信用コンバータの第１実施例に係る正面図、図３は本発明の衛星放送受信用コンバータの第１実施例に係る要部の断面図、図４は本発明の衛星放送受信用コンバータの第１実施例に係り、フィードホーンを説明するための要部の斜視図、図５は本発明の衛星放送受信用コンバータの第１実施例に係り、第２の反射部の斜視図である。
【００２１】
また、図６は本発明の衛星放送受信用コンバータの第２実施例に係る平面図、図７は本発明の衛星放送受信用コンバータの第２実施例に係る正面図、図８は本発明の衛星放送受信用コンバータの第２実施例に係る要部の断面図である。
【００２２】
次に、本発明の衛星放送受信用コンバータの第１実施例の構成を図１〜図５に基づいて説明すると、金属板からなる枠体１は、上下に開放部を有するロ字状の側壁１ａで構成されている。
【００２３】
プリント基板からなる回路基板２は、一面側に配線パターン３が形成され、この配線パターン３に種々の電気部品４が搭載されて、所望の受信回路が形成されている。
また、回路基板２の他面側のほぼ全面には、シールド用の接地用パターン５が設けられている。
【００２４】
回路基板２は、図３に示すように、孔２ａと、この孔２ａ内に突出する突片２ｂが設けられている。
そして、突片２ｂ上と、孔２ｅの周辺には、接地用パターン５が形成されていない状態にあると共に、突片２ｂの反対面には、配線パターン３の一部で構成される導電パターン（後述する第２のプローブ１２）が設けられている。
【００２５】
そして、このような構成を有する回路基板２は、枠体１のロ字状の側壁１ａの一方の開放部塞ぐように、枠体１に半田付け等によって取り付けられる。
即ち、回路基板２は、電気部品４を枠体１の内部に位置した状態で、接地用パターン５が枠体１から露出して外側に位置し、接地用パターン５が枠体１に半田付けされて取り付けられる。
【００２６】
金属板からなる蓋部６は、枠体１の他方の開放部を塞ぐように取り付けられて、この蓋体５と枠体１、及び接地用パターン５とによって、回路基板２に形成された受信回路が電気的にシールドされた構成となっている。
【００２７】
ブリキ等の金属板が折り曲げされて形成されたフィードホーン７は、中心部に中空部８ａを有する四角型の筒状で形成された導波管部８と、この導波管部８の一端に設けられ、導波管部８の入り口部８ｂに対して傾斜した反射面９とで構成されている。
【００２８】
また、導波管部８は、特に図３，図４に示すように、下面側に位置する下面板８ｃと、側面側に位置する一対の側面板８ｄと、上面側に設けられた切り欠き部８ｅとを有し、反射面９の外周部が下面板８ｃと側面板８ｄによって囲まれた状態となっている。
【００２９】
そして、このようなフィードホーン７は、枠体１を形成する金属板で、側壁１ａと一体的に形成されて、導波管部８は、その延びる方向が回路基板２と平行状態で、側壁１ａの面から直角状態で外方に突出すると共に、一対の側面板８ｄと反射面９が枠体１内に配置された状態となっている。
【００３０】
この時、切り欠き部８ｅが回路基板２の内面側に位置した状態で、反射面９は、入り口部８ｂに対して傾斜した状態で設けられると共に、反射面９の下方部が下面板８ｃで塞がれた状態となっている。
また、フィードホーン７と回路基板２が組み合わされた際、孔２ａは導波管部８内に位置して、回路基板２の突片２ｂが反射面９と対向した状態となっている。
【００３１】
棒状の金属線からなる第１のプローブ１１は、一端が導波管部８内に位置すると共に、他端が回路基板２に設けられた配線パターン３に半田付けされている。
そして、この第１のプローブ１１は、垂直偏波、或いは水平偏波の何れか一方を受けるようになっている。
【００３２】
第２のプローブ１２は、回路基板２の突片２ｂの位置で、配線パターン３の一部で形成され、反射面９と対向すると共に、第１のプローブ１１と９０度ずれた状態で延びている。
そして、この第２のプローブ１２は、垂直偏波、或いは水平偏波の何れか他方を受けるようになっている。
【００３３】
第２の反射部１３は、特に図５に示すように、ブリキ等の金属板を折り曲げて形成され、四角状のキャップ状部１４と、このキャップ状部１４の一端から延びる帯状部１５とで構成されている。
そして、キャップ状部１４は、第２の反射部１３となる矩形状の底壁１４ａと、この底壁１４ａの四方から上方に折り曲げられた側壁１４ｂとを有し、この側壁１４ｂから帯状部１５が上方に延びている。
【００３４】
そして、この第２の反射部１３を形成するキャップ状部１４は、第２のプローブ１２の後方位置で第２のプローブ１２を囲むように、回路基板２の外側に配置されて、側壁１４ｂが接地用パターン５に半田付けされて取り付けられている。
【００３５】
また、キャップ状部１４が取り付けられた際、帯状部１５は、回路基板２の孔を貫通し、第１のプローブ１１の後方位置で第１プローブ１１と対向した状態で、導波管部８内に位置して、第１の反射部１６を形成している。
更に、帯状部１５の先端部は、導波管部８の下面板８ｃに設けられた孔に嵌入して、帯状部１５の取付を強固にしている。
【００３６】
また、コネクタ１７が側壁１ａに取り付けられて、受信信号を引き出すようになっている。
【００３７】
また、図６〜図８は、本発明の衛星放送受信用コンバータの第２実施例を示し、この第２実施例の構成を説明すると、フィードホーン７が側壁１ａと一体的に設けられ、一対の内の一方の側面板８ｄが枠体１内に突出すると共に、他方の側面板８ｄは、側壁１ａが兼用した状態となっている。
【００３８】
また、棒状の第１のプローブ１８が配線パターン３に半田付けされた状態で、導波管部８内に配置されると共に、この第１の後方には、導波管部８の下面板８ｃから折り曲げられて形成された第１の反射部１９が配置されている。
【００３９】
更に、この第１の反射部１９の後方には、第１のプローブ１８と９０度ずれた状態で延び、配線パターン３に半田付けされたＬ字状の第２のプローブ２０を配置すると共に、この第２のプローブ２０の後方に位置し、第２のプローブ２０と対向した状態で、接地用パターン５に半田付けされたＬ字状の第２の反射部２１を設けたものである。
【００４０】
なお、その他の構成は、上記実施例と同様の構成を有し、同一部品に同一番号付し、ここではその説明を省略する。
【００４１】
なお、上記実施例では、第１，第２のプローブを使用したもので説明したが、第１，第２のプローブの内の何れか一方のみを使用したものでも良い。
また、上記実施例では、直線偏波を受信するもので説明したが、導波管部内に移相器を設けて、円偏波を受信するようにしても良い。
【００４２】
【発明の効果】
本発明の衛星放送受信用コンバータは、一面側に設けられた配線パターンに電気部品を搭載して所望の回路が形成され、枠体に取り付けられた回路基板と、筒状をなした直線状の導波管部を有するフィードホーンとを備え、導波管部は、その延びる方向が回路基板と平行状態で、枠体の前記側壁面から外方に突出したため、導波管部の高さが従来に比して低く、小型の衛星放送受信用コンバータを提供できる。
【００４３】
また、導波管部が側壁面から直角状態で突出したため、導波管部の形成が容易で、生産性の良好なものが得られる。
【００４４】
また、導波管部は、四角筒状をなし、金属板によって枠体の側壁と一体的に形成されたため、枠体とフィードホーンは、金属板を折り曲げして形成できるため、安価なものが提供できる。
【００４５】
また、導波管部の延びる方向と平行に配置された回路基板には、棒状のプローブが取り付けられ、プローブが導波管部の入り口部に対向して配置されたため、プローブの形状がシンプルで、導波管部内への配置が容易である。
【００４６】
また、フィードホーンには、導波管部の入り口部に対して傾斜し、枠体内に位置した反射面が設けられ、回路基板には、反射面と対向する箇所に配線パターンの一部で構成されるプローブが設けられたため、プローブの構成が極めて簡単で、生産性の良いものが得られる。
【００４７】
また、導波管部の延びる方向と平行に配置された回路基板の他面側には、接地用パターンが設けられると共に、枠体の少なくとも一端側には、開放部が設けられ、回路基板は、電気部品が前記枠体内に位置し、接地用パターンが枠体から露出して開放部を塞ぐように枠体に取り付けられたため、接地用パターンが枠体の一部を兼ねることができて、材料費が少なく、安価となる。
【００４８】
また、回路基板の配線パターンに取り付けられた棒状のプローブが導波管部の入り口部に対向して配置されると共に、プローブの後方でプローブと対向する反射部が接地用パターンに取り付けられたため、反射部の取付が容易で、生産性の良好なものが得られる。
【００４９】
また、反射部が導波管部から折り曲げられて形成されたため、部品点数を少なくできて、安価で、生産性の良好なものが得られる。
【００５０】
また、フィードホーンには、導波管部の入り口部に対して傾斜し、枠体内に位置した反射面が設けられ、回路基板には、反射面と対向する箇所に配線パターンの一部で構成されるプローブが設けられると共に、接地用パターンに接触した状態で外部に配設されたキャップ状の反射部がプローブと対向して配置されたため、キャップ状の反射部の取付が簡単で、生産性の良好なものが得られる。
【００５１】
また、キャップ状の反射部には、一体的に帯状部が設けられ、この帯状部を枠体内に突出して、帯状部が導波管部の入り口部に対向して配置されたプローブに対向して、このプローブに対する反射部となしたため、部品点数を少なくできて、安価で、生産性の良好なものが得られる。
【図面の簡単な説明】
【図１】本発明の衛星放送受信用コンバータの第１実施例に係る平面図。
【図２】本発明の衛星放送受信用コンバータの第１実施例に係る正面図。
【図３】本発明の衛星放送受信用コンバータの第１実施例に係る要部の断面図。
【図４】本発明の衛星放送受信用コンバータの第１実施例に係り、フィードホーンを説明するための要部の斜視図。
【図５】本発明の衛星放送受信用コンバータの第１実施例に係り、第２の反射部の斜視図。
【図６】本発明の衛星放送受信用コンバータの第２実施例に係る平面図。
【図７】本発明の衛星放送受信用コンバータの第２実施例に係る正面図。
【図８】本発明の衛星放送受信用コンバータの第２実施例に係る要部の断面図。
【図９】従来の衛星放送受信用コンバータの要部の断面図。
【符号の説明】
１　枠体
１ａ　側壁
２　回路基板
２ａ　孔
２ｂ　突片
３　配線パターン
４　電気部品
５　接地用パターン
６　蓋部
７　フィードホーン
８　導波管部
８ａ　中空部
８ｂ　入り口部
８ｃ　下面板
８ｄ　側面板
８ｅ　切り欠き部
９　反射面
１１　第１のプローブ
１２　第２のプローブ
１３　第２の反射部
１４　キャップ状部
１４ａ　底壁
１４ｂ　側壁
１５　帯状部
１６　第１の反射部
１７　コネクタ
１８　第１のプローブ
１９　第１の反射部
２０第２のプローブ
２１　第２の反射部
【図１】
2004040406.tif 000003
【図２】
2004040406.tif 000004
【図３】
2004040406.tif 000005
【図４】
2004040406.tif 000006
【図５】
2004040406.tif 000007
【図６】
2004040406.tif 000008
【図７】
2004040406.tif 000009
【図８】
2004040406.tif 000010
【図９】
2004040406.tif 000011